(57)【特許請求の範囲】
【請求項１】
本体の弾弦部に設けられた複数の弦の弾弦を検出する弾弦検出手段と、
前記本体の指盤部の複数のフレットの各々に前記複数の弦に対応して設けられたフレットスイッチの押下及び開放を検出して音高を指定する音高指定手段と、
前記弾弦検出手段が弾弦を検出したときは、当該弾弦に係る弦に対応するフレットスイッチの押下から開放に至るまでの時間を計測する時間計測手段と、
この時間計測手段が計測した時間が指定時間以上である場合は通常奏法の楽音データを生成して出力し、前記計測した時間が前記指定時間より小さい場合はハーモニックス奏法の楽音データを生成して出力するデータ生成手段と、
を備えたことを特徴とする電子弦楽器。
【発明の詳細な説明】
【０００１】
【発明の属する技術分野】
この発明は、電子ギター等の電子弦楽器に関する。
【０００２】
【従来の技術】
従来の電子ギターにおいては、本体（ボディ）のテールピースと指板部（ネック）のヘッドとの間に複数の弦が張られており、通常演奏においては指板部のフレットに弦を指で押し付けるフレット押下操作と弦を弾く弾弦操作とにより、弦の振動がマイクロフォンによって音響信号に変換され、アンプで増幅されてスピーカから音が送出される。この場合には、押下されたフレットとテールピースとの間の弦振動又は押下されない開放弦の弦振動によって音高が決定される。一方、ハーモニックス奏法と称する特殊奏法においては、指を弦に軽く当てるだけで弦をフレットには押し付けずに弾弦する。このようなハーモニックス奏法の場合には、弦に当てた指の位置に応じて開放弦の音高の倍音を発生させることができる。例えば、弦長の１／２の位置に指を当てると、本来その位置が振動の腹になる基音の他に、その位置が振動の節になる偶数倍音、特に２倍音が強調されて発音される。
【０００３】
【発明が解決しようとする課題】
ところで、近年開発された電子ギターの中には、指板部には弦と同じ感触が得られるような線状部材が設けられているが、実際の弦は張られていないものがある。このような電子ギターにおいては、本体の弾弦部にだけ弦が設けられている。その弦は弾弦されたか否かを検出するためのものであり、弾弦されたときの振動によっては音高を決定しない。音高を決定するのは、各フレットの指板部の線状部材の下側に配列されたフレットスイッチである。このフレットスイッチは、フレットの各々に弦の数に対応して設けられている。演奏する場合には、弦をフレットに押し付けるフレット押下操作と同様の操作で線状部材を介してフレットスイッチを押下するとともに、本体に設けられた弦に対して弾弦操作を行う。すると、押下されたフレットスイッチに応じて弾弦された弦の音高データが生成される。この音高データを音源システムに供給することにより、実際の楽音信号が出力され、サウンドシステムから発音される。
しかしながら、指板部に弦をもたない電子ギターでは指板上での弦操作ができないため、ハーモニックス演奏のような特殊演奏をすることができないという問題があった。
この発明の課題は、指板部に弦をもたない電子弦楽器によってハーモニックス演奏のような特殊演奏をできるようにすることである。
【０００４】
【課題を解決するための手段】
この発明は、本体の弾弦部に設けられた複数の弦の弾弦を検出する弾弦検出手段と、本体の指盤部の複数のフレットの各々に複数の弦に対応して設けられたフレットスイッチの押下及び開放を検出して音高を指定する音高指定手段と、弾弦検出手段が弾弦を検出したときは、弾弦に係る弦に対応するフレットスイッチの押下から開放に至るまでの時間を計測する時間計測手段と、この時間計測手段が計測した時間が指定時間以上である場合は通常奏法の楽音データを生成して出力し、計測した時間が指定時間より小さい場合はハーモニックス奏法の楽音データを生成して出力するデータ生成手段と、を備えた構成になっている。
この発明によれば、弾弦を検出したときは、その弾弦に係る弦に対応するフレットスイッチが押下から開放に至るまでの時間を計測し、その時間が指定時間を超えているか否かに応じて、通常奏法又はハーモニックス奏法の楽音データを生成して出力する。
【０００５】
【発明の実施の形態】
以下、図１〜図４を参照してこの発明の電子楽器の実施形態について電子ギターを例に採り説明する。
実施形態における電子ギターには、図１に示すように、ボディ１に指板部（ネック）２が取り付けられ、指板部２の端部３とボディ１の中央部に設けられたテールピース４との間に６本の弦５が張られている。そして、ボディ１の内部に設けられたスピーカ（図示せず）からの放音用の孔６が取り付けられ、ボディ１の操作面には音色選択スイッチ等の各種スイッチ７が設けられている。また、指板部２の表面にはＦＲＥＴ（０）〜ＦＲＥＴ（１４）の１５個のフレット８が形成されている。指板部２には実際の弦は張られていないが、弾性材からなるＳＴＲ（０）〜ＳＴＲ（５）の６本の線状部材９が形成され、実際の弦と同じように押圧によって撓む構造になっている。
【０００６】
さらに、この図１には示していないが、線状部材９の下側の指板部２内部には、１５個の各フレット８ごとに６列のフレットスイッチが設けられている。したがって、任意のフレットの任意の線状部材９を押下するとその下側のフレットスイッチがオンとなる。
このように、電子ギターの指板部２には弦が張られていないが、演奏者は実際の弦の場合と同じ感触でこの電子ギターを演奏することができる。弾弦によって弦５が振動すると、この振動を磁気的方法その他の方法によるセンサ（図示せず）で検出して弾弦検出を行う構造になっている。
【０００７】
この電子ギターのシステム構成を図２に示す。電子ギター全体を制御するＣＰＵ１１には、指板システム１２、弦システム１３、スイッチシステム１４、ＲＯＭ１５、ＲＡＭ１６、音源システム１７が接続されている。指板システム１２は、音高指定手段であり、フレット番号及び弦番号に対応するマトリックス回路で構成され、フレットスイッチの押下（オン）及び開放（オフ）の状態を検出して、そのオン・オフのデータを音高指定データとしてＣＰＵ１１に入力する。弦システム１３は、弾弦検出手段であり、弦５の弾弦状態を検出して弾弦に関するデータをＣＰＵ１１に入力する。スイッチシステム１４は、スイッチ７のオン・オフのデータをＣＰＵ１１に入力する。ＲＯＭ１５は、ＣＰＵ１１が実行するプログラムや初期値データを格納している。ＲＡＭ１６は、ＣＰＵ１１に入力された各種データ及びＣＰＵ１１で処理されたデータを記憶する。音源システム１７は、ＣＰＵ１１からの楽音データ及び発音指示又は消音指示に基づいて、楽音信号を生成してサウンドシステム１８に送出する。
【０００８】
次に、この実施形態の動作について、ＣＰＵ１１のフローチャートを参照して説明する。
図３のフローにおいて、ＲＡＭ１６のポインタレジスタをクリアしたり、ＴＩＭＥＲをストップする等の所定のイニシャライズ処理をする（ステップＳ１）。この後、弦番号を指定するポインタｉを１（第１弦）にセットし（ステップＳ２）、ｉをインクリメントしながらｉで指定された第ｉ弦の弾弦検出を行う（ステップＳ３）。そして、弾弦があるか否かを判別する（ステップＳ４）。弾弦があった場合には、第ｉ弦の指板走査を行う（ステップＳ５）。この指板走査により、フレットスイッチがオンされているか否かを判別する（ステップＳ６）。いずれのフレットスイッチもオンされていない場合には、開放弦の音高で発音指示をする（ステップＳ７）。
【０００９】
ステップＳ７の開放弦の発音指示の後、又は、ステップＳ４において弾弦がない場合には、次の弦を指定するためにｉをインクリメントする（ステップＳ８）。そして、インクリメントした結果、ｉが７になったか否かすなわち第１弦から第６弦までの弾弦検出が終了したか否かを判別する（ステップＳ９）。ｉが６以下である場合には、ステップＳ３に移行して第ｉ弦の弾弦検出を行う。ステップＳ９においてｉが７になった場合には、次の弾弦に備えてステップＳ２に移行してｉを１にセットする。
【００１０】
ステップＳ６において、フレットスイッチがオンされた場合には、図４のフローにおいて、押下継続時間を計測するためのＴＩＭＥＲをスタートさせ（ステップＳ１０）、ＴＩＭＥＲチェックすなわち弾弦に係る弦に対応するフレットスイッチが押下から開放に至るまでの時間を計測する（ステップＳ１１）。そして、ＴＩＭＥＲの値が予め設定されている指定時間より小さいか否かを判別する（ステップＳ１２）。ＴＩＭＥＲの値が予め設定されている指定時間以上である場合には、ＴＩＭＥＲをストップし（ステップＳ１３）、フレットスイッチのオン位置に応じた発音指示をする（ステップＳ１４）。
【００１１】
一方、ステップＳ１２において、ＴＩＭＥＲの値が指定時間より小さい場合には、指板部２を走査して（ステップＳ１５）、フレットスイッチがオンからオフに変化したか否かを判別する（ステップＳ１６）。フレットスイッチがオフでない場合には、ステップＳ１１に移行して、ＴＩＭＥＲチェックを続ける。ステップＳ１２においてＴＩＭＥＲの値が指定時間より小さい場合に、ステップＳ１５でフレットスイッチを走査した結果、ステップＳ１６でフレットスイッチがオンからオフに変化したときは、ＴＩＭＥＲをストップして（ステップＳ１７）、指定音をハーモニック音色に変更する（ステップＳ１８）。そして、ハーモニック音色のフレットオン位置に応じた発音処理をして（ステップＳ１９）、元の指定音色に変更する（ステップＳ２０）。次に、図３のフローのステップＳ８に移行してｉをインクリメントする。
【００１２】
このように、上記実施形態によれば、ＣＰＵ１１は、時間計測手段及びデータ生成手段を構成し、弦システム１３が弾弦を検出したときは、その弾弦に係る弦に対応するフレットスイッチがオン（押下）からオフ（開放）に至るまでの時間を計測し、その計測した時間が指定時間以上である場合は、通常奏法の楽音データを生成して音源システム１７を介してサウンドシステム１８に出力し、計測した時間が指定時間より小さい場合は、ハーモニックス奏法の楽音データを生成してサウンドシステム１８に出力する。したがって、指板部２に弦をもたない電子弦楽器によってハーモニックス演奏のような特殊演奏をすることができる。
【００１３】
なお、上記実施形態においては、音源システム及びサウンドシステムを有する電子弦楽器について説明したが、これらの代わりに外部装置との間でデータを送受信する通信システムを備え、ディジタル・イコライザ等の外部装置に対してハーモニック奏法の設定パラメータを送信する構成にしてもよい。
【００１４】
【発明の効果】
この発明によれば、弾弦を検出したときは、その弾弦に係る弦に対応するフレットスイッチが押下から開放に至るまでの時間を計測し、その時間が指定時間を超えているか否かに応じて、通常奏法又はハーモニックス奏法の楽音データを生成して出力する。したがって、指板部に弦をもたない電子弦楽器によってハーモニックス演奏のような特殊演奏をすることができる。
【図面の簡単な説明】
【図１】この発明の実施形態の電子ギターの外観を示す平面図。
【図２】図１の電子ギターのシステム構成を示すブロック図。
【図３】図２のＣＰＵの動作を示すフローチャート。
【図４】図３に続くＣＰＵのフローチャート。
【符号の説明】
１１  ＣＰＵ
１２  指板システム
１３  弦システム
１４  スイッチシステム
１５  ＲＯＭ
１６  ＲＡＭ
１７  音源システム
１８  サウンドシステム
【図１】
0003702596.tif 000002
【図２】
0003702596.tif 000003
【図３】
0003702596.tif 000004
【図４】
0003702596.tif 000005